(57)【特許請求の範囲】
【請求項１】
コレスボンデントノードがＲＬＦ情報処理能力に応じてＲＬＦ情報処理を行うように、セルを管理するネットワーク機器がコレスボンデントノードに前記ネットワーク機器の前記ＲＬＦ情報処理能力を通知するステップを含み、
前記ＲＬＦ情報処理能力が、前記ネットワーク機器が管理する各セルに対し、ＲＬＦ報知情報処理を支援するか否かを含む無線リンク障害情報の処理方法。
【請求項２】
前記コレスボンデントノードは、前記ネットワーク機器を介してネットワークにアクセスする端末装置であって、
前記ネットワーク機器が前記端末装置に前記ＲＬＦ情報処理能力を通知することが、前記ネットワーク機器が前記端末装置に前記ＲＬＦ情報処理能力を放送することを含む請求項１に記載の方法。
【請求項３】
前記コレスボンデントノードは、前記ネットワーク機器を介してネットワークにアクセスする端末装置であって、
前記ネットワーク機器が前記端末装置に前記ＲＬＦ情報処理能力を通知することが、前記ネットワーク機器が前記端末装置に前記ＲＬＦ情報処理能力を含んだメッセージを送信することを含む請求項１に記載の方法。
【請求項４】
前記メッセージが、ＲＲＣ接続確立メッセージと、ＲＲＣ接続拒否メッセージ又はＲＲＣ再配置メッセージである請求項３に記載の方法。
【請求項５】
前記コレスボンデントノードはＸ２を介して前記ネットワーク機器と通信を行う対向機器であって、
前記ネットワーク機器が前記対向機器に前記ＲＬＦ情報処理能力を通知することが、前記ネットワーク機器が前記対向機器に前記ＲＬＦ情報処理能力を含んだＸ２インターフェースメッセージを送信することを含む請求項１に記載の方法。
【請求項６】
前記Ｘ２インターフェースメッセージが、Ｘ２インターフェース確立要請メッセージ、Ｘ２インターフェース確立応答メッセージ又は基地局配置更新メッセージの中の少なくとも一つである請求項５に記載の方法。
【請求項７】
前記コレスボンデントノードは、Ｓ１インターフェースを介して前記ネットワーク機器と通信を行う対向機器であって、
前記ネットワーク機器が前記対向機器に前記ＲＬＦ情報処理能力を通知することが、前記ネットワーク機器が前記対向機器に前記ＲＬＦ情報処理能力を含んだＳ１インターフェースメッセージを送信することを含む請求項１に記載の方法。
【請求項８】
前記ネットワーク機器が基地局である請求項１乃至７の中のいずれかに記載の方法。
【請求項９】
ネットワーク機器が管理する各セルに対し、ＲＬＦ報知情報処理を支援するか否かを含むネットワーク機器のＲＬＦ情報処理能力をコレスボンデントノードに通知するセルを管理するネットワーク機器と、
前記ＲＬＦ情報処理能力を受信し、前記ＲＬＦ情報処理能力に応じてＲＬＦ情報処理を行うコレスボンデントノードと、を含む無線リンク障害ＲＬＦ情報の処理システム。
【請求項１０】
前記コレスボンデントノードは前記ネットワーク機器を介してネットワークにアクセスする端末装置であって、
前記ネットワーク機器が、前記端末装置に前記ＲＬＦ情報処理能力を放送する形態と、前記端末装置に前記ＲＬＦ情報処理能力を含んだメッセージを送信する形態のうちの一つによって前記端末装置に前記ＲＬＦ情報処理能力を通知する請求項９に記載のシステム。
【請求項１１】
前記コレスボンデントノードはＸ２インターフェース又はＳ１インターフェースを介して前記ネットワーク機器と通信する対向機器であって、
前記ネットワーク機器が、前記他の機器に前記ＲＬＦ情報処理能力を含んだＸ２インターフェースメッセージを送信する形態と、前記他の機器に前記ＲＬＦ情報処理能力を含んだＳ１インターフェースメッセージを送信する形態の中の一つによって前記対向機器に前記ＲＬＦ情報処理能力を通知する請求項９に記載のシステム。
【請求項１２】
前記ネットワーク機器が基地局である請求項９乃至１１の中のいずれかに記載のシステム。
【発明の詳細な説明】
【技術分野】
【０００１】
本発明は、通信分野に関し、具体的には、無線リンク障害情報の処理方法及びシステムに関する。
【背景技術】
【０００２】
長期進化ネットワーク（Long-Term  Evolution、以下ＬＴＥと略称）において、無線伝送環境又はユーザ機器（User  Equipment、以下ＵＥと略称）によるネットワークカバー領域での移動などの要素の影響で、ＵＥの接続に異常、例えばＵＥの無線リンク障害（Radio  Link  Failure、以下ＲＬＦと略称）が発生し、ＵＥの正常のサービスに影響を与えてしまう可能性が存在する。このような問題の発生を防止するために、ＲＬＦの原因をなるべく早く検知しなければならず、ＲＬＦの原因は、主にカバー領域内にカバー漏れとＬＴＥネットワークにおける不当な切り替えが存在することである。
【０００３】
カバー問題又は切り替えのパラメータの不当問題を即時に解決するために、既存技術によると、ＵＥによってＲＬＦが発生する前の測定結果及びその後に再確立を開始する際の測定結果を記録し、ＵＥがネットワーク側にＲＲＣ接続再確立又はＲＲＣ接続確立を開始する場合、測定結果をＲＬＦ情報としてネットワーク側に報知し、該測定結果は、測定されたセルの参照信号パワー、参照信号受信品質及び測定結果に対応するＲＬＦ発生時の位置情報等を含むことがある。ネットワーク側の基地局又は他の機器は、ＵＥが報知した情報に基づいてローカルＵＥに発生したＲＬＦがカバー漏れによるものであるか、切り替えパラメータの不当によるものであるかを判定することができ、ネットワーク側の機器間でもＸ２インターフェース又はＳ１インターフェースを介してＲＬＦ情報を交換することができる。
【０００４】
しかし、実際応用において、ネットワーク側の機器がＲＬＦ情報の処理能力を具備しない可能性があって、又は該ネットワーク機器（例えば基地局）が管理するセルに対し、該ネットワーク機器が該セルのＲＬＦ情報の処理を支援しない可能性が存在し、この場合、端末装置又は他の機器がＲＬＦ情報処理能力を具備しないネットワーク機器にＲＬＦ情報を報知すると、該ＲＬＦ情報は無用なものとなって、ネットワーク機器と端末装置のリソースの浪費をもたらしてしまう。
【発明の概要】
【発明が解決しようとする課題】
【０００５】
本発明は、上記問題を解決できる無線リンク障害情報の処理方法及びシステムを提供することを目的とする。
【課題を解決するための手段】
【０００６】
本発明の一態様によると、コレスボンデントノード（correspondent node）がＲＬＦ情報処理能力に応じてＲＬＦ情報処理を行うように、セルを管理するネットワーク機器がネットワーク機器のＲＬＦ情報処理能力をコレスボンデントノードに通知し、その中、前記ＲＬＦ情報処理能力は前記ネットワーク機器が管理する各セルに対し、ＲＬＦ報知情報処理を支援するか否かを含む無線リンク障害情報の処理方法を提供する。
【０００７】
その中、前記コレスボンデントノードは、前記ネットワーク機器を介してネットワークにアクセスする端末装置であって、前記ネットワーク機器が前記端末装置に前記ＲＬＦ情報処理能力を通知することが、前記ネットワーク機器が前記端末装置に前記ＲＬＦ情報処理能力を放送することを含む。
【０００８】
その中、前記コレスボンデントノードは、前記ネットワーク機器を介してネットワークにアクセスする端末装置であって、前記ネットワーク機器が前記端末装置に前記ＲＬＦ情報処理能力を通知することが、前記ネットワーク機器が前記端末装置に前記ＲＬＦ情報処理能力を含んだメッセージを送信することを含む。
【０００９】
その中、前記メッセージは、ＲＲＣ接続確立メッセージと、ＲＲＣ接続拒否メッセージ又はＲＲＣ再配置メッセージである。
【００１０】
その中、前記コレスボンデントノードはＸ２を介して前記ネットワーク機器と通信を行う対向機器であって、前記ネットワーク機器が前記対向機器に前記ＲＬＦ情報処理能力を通知することが、前記ネットワーク機器が前記対向機器に前記ＲＬＦ情報処理能力を含んだＸ２インターフェースメッセージを送信することを含む。
【００１１】
その中、前記Ｘ２インターフェースメッセージは、Ｘ２インターフェース確立要請メッセージ、Ｘ２インターフェース確立応答メッセージ又は基地局配置更新メッセージの中の少なくとも一つである。
【００１２】
その中、前記コレスボンデントノードは、Ｓ１インターフェースを介して前記ネットワーク機器と通信を行う対向機器であって、前記ネットワーク機器が前記対向機器に前記ＲＬＦ情報処理能力を通知することは、前記ネットワーク機器が前記対向機器に前記ＲＬＦ情報処理能力を含んだＳ１インターフェースメッセージを送信することを含む。
【００１３】
その中、前記ネットワーク機器は基地局である。
【００１４】
本発明の他の一態様によると、前記ネットワーク機器が管理する各セルに対しＲＬＦ報知情報処理を支援するか否かを含むネットワーク機器のＲＬＦ情報処理能力をコレスボンデントノードに通知するセルを管理するネットワーク機器と、ＲＬＦ情報処理能力を受信し、上記ＲＬＦ情報処理能力に応じてＲＬＦ情報処理を行うコレスボンデントノードと、を含む無線リンク障害ＲＬＦ情報の処理システムを提供する。
【００１５】
その中、前記コレスボンデントノードは前記ネットワーク機器を介してネットワークにアクセスする端末装置であって、前記ネットワーク機器は、前記端末装置に前記ＲＬＦ情報処理能力を放送する形態と、前記端末装置に前記ＲＬＦ情報処理能力を含んだメッセージを送信する形態のうちの一つによって前記端末装置に前記ＲＬＦ情報処理能力を通知する。
【００１６】
その中、前記コレスボンデントノードはＸ２インターフェース又はＳ１インターフェースを介して前記ネットワーク機器と通信する対向機器であって、前記ネットワーク機器は、前記他の機器に前記ＲＬＦ情報処理能力を含んだＸ２インターフェースメッセージを送信する形態と、前記他の機器に前記ＲＬＦ情報処理能力を含んだＳ１インターフェースメッセージを送信する形態の中の一つによって前記対向機器に前記ＲＬＦ情報処理能力を通知する。
【００１７】
その中、前記ネットワーク機器は基地局である。
【発明の効果】
【００１８】
本発明によると、ネットワーク機器によってコレスボンデントノードにＲＬＦ情報処理能力を通知することによって、端末装置はネットワーク側がＲＬＦ情報処理能力を具備したか否かを把握でき、端末装置による無意味のリソースの浪費を防止できると共に、ネットワーク側によるＲＬＦ情報を受信した後の無意味の処理及び送信を防止でき、エアーシグナルリソースのオーバーヘッドを低減でき、端末装置とネットワーク要素との間でのＲＬＦ情報を処理するメモリ及びリソースの浪費を低減できる。
【図面の簡単な説明】
【００１９】
ここで説明する図面は本発明を理解するためのもので、本発明の一部を構成し、本発明における実施例と共に本発明を解釈し、本発明を不当に限定するものではない。
【図１】図１は、本発明の実施例に係るＲＬＦ情報の処理システムの構造を示すブロック図である。
【図２】図２は、本発明の実施例に係るＲＬＦ情報の処理方法を示すフローチャートである。
【図３】図３は、本発明の実施例に係る基地局が放送によってＲＬＦ処理能力を送信することを示すフローチャートである。
【図４】図４は、本発明の実施例に係る基地局がシグナルメッセージによって端末装置にＲＬＦ処理能力を通知することを示すフローチャートである。
【図５】図５は、本発明の実施例に係る基地局１がＸ２インターフェースメッセージによって基地局２にＲＬＦ処理能力を通知することを示すフローチャートである。
【図６】図６は、本発明の実施例に係る基地局１がＳ１インターフェースメッセージによって基地局２にＲＬＦ処理能力を通知することを示すフローチャートである。
【発明を実施するための形態】
【００２０】
以下、図面を参照しつつ実施例に合わせ、本発明を詳しく説明する。ここで、互いに矛盾しない限り、本発明に記載の実施例及び当該実施例に記載の特徴を互いに組み合わせることができる。
【００２１】
実施例１
本実施例において、無線リンク障害情報の処理システムを提供する。図１は、本発明の実施例に係るＲＬＦ情報の処理システムの構造を示すブロック図で、該システムは、セルを管理するネットワーク機器１０と、コレスボンデントノード２０とを含む。その中、セルを管理するネットワーク機器１０は、コレスボンデントノード２０にネットワーク機器１０のＲＬＦ情報処理能力を通知し、その中、ＲＬＦ情報処理能力は、ネットワーク機器１０が管理する各セルに対しＲＬＦ報知情報処理を支援するか否かを含む。コレスボンデントノード２０は、上記ＲＬＦ情報処理能力を受信し、上記ＲＬＦ情報処理能力に応じてＲＬＦ情報処理を行う。
【００２２】
本実施例において、無線リンク障害情報の処理方法を提供する。図２は、実施例に係るＲＬＦ情報の処理方法を示すフローチャートである。図１と図２に示すように、以下のステップを含む。
【００２３】
ネットワーク機器１０が、コレスボンデントノード２０にネットワーク機器１０のＲＬＦ情報処理能力を通知し（ステップＳ２０２）、その中、ＲＬＦ情報処理能力は、ネットワーク機器１０が管理する各セルに対しＲＬＦ報知情報処理を支援するか否かを含む。
【００２４】
コレスボンデントノード２０は、把握したＲＬＦ情報処理能力に応じて、上記ＲＬＦ情報処理能力に応じてＲＬＦ情報処理を行う（ステップＳ２０４）。
【００２５】
実際の応用において、ネットワーク機器１０がＲＬＦ情報を処理する能力を具備しない、又はネットワーク機器１０が管理する一つのセルに対し、ネットワーク機器１０が該セルのＲＬＦ情報の処理を支援しない可能性が存在し、既存の無線リンク障害ＲＬＦ情報処理の技術案によると、ネットワーク機器１０によるＲＬＦ情報の処理能力を考慮せず、即ち、ネットワーク機器１０がＲＬＦ情報を処理可能であるか否かに関わらず、コレスボンデントノード２０は、無線リンク障害が発生した場合、ＲＬＦ情報を記録すると共に、ＲＬＦ情報をネットワーク機器１０に送信し、コレスボンデントノード２０がＲＬＦ情報処理能力を具備していないネットワーク機器１０にＲＬＦ情報を報知すると、該ＲＬＦ情報は無用なものになり、コレスボンデントノード２０がずっとネットワーク機器１０からの応答を待っていることになり、コレスボンデントノード２０の正常動作に影響を与えてしまう可能性があって、コレスボンデントノード２０による記録と送信操作及びネットワーク機器１０による受信操作によって、ネットワーク機器１０とコレスボンデントノード２０のリソースの浪費が生じてしまう。
【００２６】
本実施例による上記システム及び方法によると、コレスボンデントノード２０からネットワーク機器１０にＲＬＦ情報を送信する前、ネットワーク機器１０がコレスボンデントノード２０に自分のＲＬＦ情報処理能力を通知し、コレスボンデントノード２０はネットワーク機器１０のＲＬＦ情報処理能力を把握した後、ＲＬＦが発生した場合、ＲＬＦ情報を記録するか、及びネットワーク機器１０にＲＬＦ情報を送信するかを確定し、ネットワーク機器１０がＲＬＦ情報処理能力を具備していない場合、コレスボンデントノード２０とネットワーク機器１０の処理プロセスを簡単化し、システムリソースを節約できる。
【００２７】
ここで、ネットワーク機器１０のＲＬＦ情報処理能力は、複数の情報、例えば、ネットワーク機器１０が管理する各セルに対し、一つの情報を設定することができ、該情報はセルマーク及びネットワーク機器１０が該セルのＲＬＦ情報処理を支援するか否かを示す情報を含むことができる。
【００２８】
実施過程において、上記ネットワーク機器１０がＬＴＥネットワークの基地局（Evolved  NodeB、以下ｅＮＢ）であることができるが、これに限定されることはない。上記コレスボンデントノード２０が前記ネットワーク機器を介してネットワークにアクセスする端末装置又はＸ２インターフェース又はＳ１インターフェースを介してネットワーク機器１０と通信を行う対向機器、例えばｅＮＢであることができるが、これに限定されることはない。
【００２９】
ここで、上記システム及び方法は、ＬＴＥネットワークでの応用に限られず、他の移動通信ネットワークにも応用可能で、特定のネットワークにおいて、ＲＬＦ情報の処理を、基地局又は無線ネットワークコントローラ（Radio  Network  Controller、以下ＲＮＣと略称）によって完成することができ、特定のネットワークにおいて、ＲＬＦ情報の処理をＲＮＣによって完成すると、上記システム及び方法におけるネットワーク機器１０はＲＮＣであることができる。
【００３０】
実施過程において、ネットワーク機器１０はさまざまな形態でコレスボンデントノード２０にネットワーク機器１０のＲＬＦ情報処理能力を通知することができ、具体的に以下のとおりである。
【００３１】
一、コレスボンデントノード２０が端末装置であると、以下の形態を用いることができるが、これに限定されることはない。
（１）ネットワーク機器１０がアイドル状態又は接続状態の端末装置に自分のＲＬＦ情報処理能力を放送し、放送の周期は管理者が応用状況に応じて任意に設定することができ、又はランダム放送であることもでき、放送の範囲はネットワーク機器１０が管理するある特定セルに限られず、複数のセル内での放送であることができれば、隣接するネットワーク機器が管理するセル内での放送であることもでき、ネットワーク機器１０のセルと隣接セル内のネットワーク機器１０のセルにハンドオーバする可能性のある端末装置がいずれもネットワーク機器１０の情報処理能力を把握できるようにする。
【００３２】
（２）ネットワーク機器１０が端末装置に自分のＲＬＦ情報処理能力を含んだメッセージを送信し、例えば端末装置がネットワーク機器１０が管理するあるセルでＲＲＣ接続確立、ＲＲＣ再確立又は該セルでの駐留を要請する場合、ネットワーク機器１０は既存のシグナルメッセージ又は専用のシグナルメッセージを介して、端末装置に自分のＲＬＦ情報処理能力を通知する。
【００３３】
実施過程において、コレスボンデントノード２０はＲＬＦ情報処理能力に応じてＲＬＦ情報処理を行うが、コレスボンデントノード２０がネットワーク機器１０が管理するセル内でＲＬＦが発生した場合、ＲＬＦ情報を記録するか、ネットワーク機器１０にＲＬＦ情報を送信するかを確定することを含み、これに限定されることはない。
【００３４】
上記形態で端末装置にネットワーク機器１０のＲＬＦ情報処理能力を通知し、端末装置がネットワーク機器１０のＲＬＦ情報処理能力を把握し、その後にＲＬＦが発生すると端末装置はネットワーク機器１０のＲＬＦ情報処理能力に応じて、ＲＬＦ測定レポートを記録してネットワーク機器１０に送信するか否かを確定し、端末装置がＲＬＦが発生するたびにＲＬＦ情報を記録し、送信する必要がないので、端末装置による無意味のリソースの浪費を防止することができる。
【００３５】
二、コレスボンデントノード２０がネットワーク機器１０の対向機器、例えばコレスボンデントノード２０も基地局であると、以下の形態をとることができるが、これに限定されることはない。
（１）基地局間でＸ２インターフェースを確立する場合、Ｘ２インターフェースの確立要請/応答メッセージを介して各自のＲＬＦ情報処理能力を交換する。
（２）基地局間は、Ｘ２インターフェースの他のメッセージ（例えば、基地局配置更新メッセージ）を介して各自のＲＬＦ情報処理能力を交換することができる。
（３）基地局間は、Ｓ１インターフェースメッセージを介して実現でき、例えば新しく定義されたＳ１インターフェースメッセージ又は既存のＳ１インターフェースメッセージを拡張したメッセージ、例えばＭＭＥ配置伝送メッセージと基地局配置伝送メッセージを介して実現することができる。
【００３６】
上記形態で対向の基地局にネットワーク機器１０のＲＬＦ情報処理能力を通知し、対向の基地局がネットワーク機器１０のＲＬＦ情報処理能力を把握し、その後にＲＬＦが発生すると、対向の基地局はネットワーク機器１０のＲＬＦ情報処理能力に応じて、受信したネットワーク機器１０に関連するＲＬＦ測定レポートをネットワーク機器１０に送信するか否かを確定し、対向の基地局がＲＬＦ情報を毎回送信する必要がなくなり、インターフェース上の余分の情報負荷を防止し、ネットワーク機器上の無意味のリソースの浪費を防止できる。
【００３７】
実施例２
本実施例において、具体的な実施例を用いて実施例１で提供される方法及びシステムを詳しく説明し、その中、ネットワーク機器１０は基地局１で、コレスボンデントノード２０は端末装置であって、図３は、本発明の実施例に係る基地局が放送によってＲＬＦ処理能力を送信することを示すフローチャートで、図３に示すように、端末装置はアイドル状態又は接続状態においてＲＬＦ情報処理能力を含む放送を受信することによって、基地局の各セルがＲＬＦ情報処理を支援するか否かを把握し、具体的には以下のとおりである。
【００３８】
基地局１が管理するセル１において基地局１のＲＬＦ情報処理能力を放送し（ステップ１）、例えばシステムメッセージブロック(System  Information  Block、以下ＳＩＢと略称)にて放送することができる。
【００３９】
端末装置は、ＲＬＦ情報処理能力を把握した後、セル１がＲＬＦ測定結果処理能力を支援するか否かを判定し、セル１がＲＬＦ情報処理を支援すると、端末装置は該セル内でＲＬＦが発生した後、測定と記録を行って、ステップ３を実行し、そうではないと、ステップ４を実行する（ステップ２）。
【００４０】
端末装置は、セル１内にＲＬＦが発生した場合、ＲＲＣ再確立又は確立プロセスにおいて、専用シグナルを介して基地局１にＲＬＦ情報を送信し（ステップ３）、その中、ＲＬＦ前の測定結果及び/又はＲＬＦ後の測定結果を含むことができるが、これに限定されることはない。
【００４１】
端末装置は、セル１内にＲＬＦが発生した場合、測定結果を記録せず、ＲＲＣ再確立又は確立プロセスにおいてもＲＬＦ情報を報知しない（ステップ４）。
【００４２】
実施例３
本実施例において、具体的な実施例によって実施例１で提供される方法及びシステムを詳しく説明し、その中、ネットワーク機器１０は基地局１で、コレスボンデントノード２０は端末装置であって、図４は、本発明の実施例に係る基地局がシグナルメッセージを介して端末装置にＲＬＦ処理能力を報知することを示すフローチャートで、本実施例のシグナルメッセージはＲＲＣ確立接続に関連するシグナルで、具体的には以下のとおりである。
【００４３】
端末装置は、基地局１のセル１で接続状態に移行し、端末装置はＲＲＣ接続確立要請（Radio  Resource  Control  Connection  Request）を開始する（ステップ１）。
【００４４】
基地局１は、ＲＲＣ確立要請メッセージを受信した後、ＲＲＣ接続確立メッセージ（Radio  Resource  Control  Connection  Setup）又はＲＲＣ接続拒否メッセージ（Radio  Resource  Control  Connection  Reject）にＲＬＦ情報処理能力を含むことができる（ステップ２）。
【００４５】
端末装置は、ＲＬＦ情報処理能力を把握した後、セル１がＲＬＦ測定結果処理能力を支援するか否かを判定し、セル１がＲＬＦ情報処理を支援すると、端末装置は該セル内でＲＬＦが発生した後、測定と記録を行って、ステップ４を実行し、セル１がＲＬＦ情報処理を支援しないと、ステップ５を実行する（ステップ３）。
【００４６】
端末装置は、セル１内にＲＬＦが発生した場合、ＲＲＣ再確立又は確立プロセスにおいて、専用シグナルを介して基地局１にＲＬＦ情報を送信する（ステップ４）。
【００４７】
端末装置は、セル１内にＲＬＦが発生した場合、測定結果を記録せず、ＲＲＣ再確立又は確立プロセスにおいてＲＬＦ情報を報知しない（ステップ５）。
【００４８】
実施例４
本実施例において、具体的な実施例によって実施例１で提供される方法及びシステムを詳しく説明し、その中、ネットワーク機器１０は基地局１で、コレスボンデントノード２０は端末装置であって、図４に示すように、本実施例のシグナルメッセージはＲＲＣ再確立に関連するシグナルで、具体的には以下のとおりである。
【００４９】
端末装置は、基地局１のセル１でＲＲＣ再確立を行って（ステップ１）、基地局１はＲＲＣ再配置メッセージ（Radio  Resource  Control  Connection  Reconfiguration）を介して端末装置にＲＬＦ情報処理能力を報知することができる。
【００５０】
端末装置は、ＲＬＦ情報処理能力を把握した後、セル１がＲＬＦ測定結果処理能力を支援するか否かを判定し、セル１がＲＬＦ情報処理を支援すると、端末装置は、該セル内にＲＬＦが発生した後、測定と記録を行って、ステップ３を実行し、セル１がＲＬＦ情報処理を支援しないと、ステップ４を実行する（ステップ２）。
【００５１】
端末装置は、セル１にＲＬＦが発生した場合、ＲＲＣ再確立又は確立プロセスにおいて、専用シグナルを介して基地局１にＲＬＦ情報を送信する（ステップ３）。
【００５２】
端末装置は、セル１にＲＬＦが発生した場合、測定結果を記録せず、ＲＲＣ再確立又は確立プロセスにおいてもＲＬＦ情報を報知しない（ステップ４）。
【００５３】
実施例５
本実施例において、具体的な実施例によって実施例１で提供される方法及びシステムを詳しく説明し、その中、ネットワーク機器１０は基地局１で、コレスボンデントノード２０は端末装置であって、図４に示すように、本実施例のシグナルメッセージは、新しく拡張された専用シグナルメッセージで、具体的には以下のとおりである。
【００５４】
端末装置は、セル１に駐留することを選択し、基地局１は一つの新しい独立した専用メッセージを介して端末装置にＲＬＦ情報処理能力を通知する（ステップ１）。
【００５５】
端末装置は、ＲＬＦ情報処理能力を把握した後、セル１がＲＬＦ測定結果処理能力を支援するか否かを判定し、セル１がＲＬＦ情報処理を支援すると、端末装置は該セル内にＲＬＦが発生した後、測定と記録を行って、ステップ３を実行し、セル１がＲＬＦ情報処理を支援しないと、ステップ４を実行する（ステップ２）。
【００５６】
端末装置は、セル１にＲＬＦが発生した場合、ＲＲＣ再確立又は確立プロセスにおいて、専用シグナルを介して基地局１にＲＬＦ情報を送信する（ステップ３）。
【００５７】
端末装置は、セル１にＲＬＦが発生した場合、測定結果を記録せず、ＲＲＣ再確立又は確立プロセスにおいてＲＬＦ情報を報知しない（ステップ４）。
【００５８】
実施例６
本実施例において、具体的な実施例によって実施例１で提供される方法及びシステムを詳しく説明し、その中、ネットワーク機器１０は基地局１で、コレスボンデントノード２０は基地局２であって、図５は、本発明の実施例に係る基地局１がＸ２インターフェースメッセージによって基地局２のＲＬＦ処理能力を通知することを示すフローチャートで、本実施例において、セル１は基地局１に属し、セル２は基地局２に属する。セル１はＲＬＦ情報処理を支援し、セル２はＲＬＦ情報処理を支援せず、具体的には以下のとおりである。
【００５９】
基地局１は、Ｘ２インターフェースを介して要請メッセージを確立してセル１の能力を基地局２に通知する（ステップ１）。
【００６０】
基地局２は、Ｘ２インターフェースを介して応答メッセージを確立してセル１の能力を基地局１に通知する（ステップ２）。
【００６１】
基地局１と基地局２がＸ２インターフェース上の他のシグナルメッセージ、例えば基地局配置更新メッセージを介してセルのＲＬＦ測定結果処理能力を互いに通知することもできる。
【００６２】
端末装置は、セル２がＲＬＦ測定結果処理を支援するか否かを把握していないので、端末装置はセル２内で発生したＲＬＦ測定結果を記録する（ステップ３）。
【００６３】
この時、端末装置においてハンドオフが遅れていて、セル１への再確立に成功し、セル１がＲＬＦ測定結果処理能力を支援するので、セル１は端末装置が報知したＲＬＦ情報に基づいて端末装置の測定結果を取得し、同時に、セル１はＸ２インターフェースのプロセスメッセージを介してセル２がＲＬＦ情報の処理を支援しないことを把握し、基地局１は端末装置が報知したＲＬＦ情報を受信した後、ＲＬＦ情報を基地局２に送信せず、インターフェース上の余分の情報負荷を防止することができる（ステップ４）。
【００６４】
実施例７
本実施例において、具体的な実施例によって実施例１で提供される方法及びシステムを詳しく説明し、その中、ネットワーク機器１０は基地局１で、コレスボンデントノード２０は基地局２であって、図６は、本発明の実施例に係る基地局１がＳ１インターフェースメッセージを介して基地局２にＲＬＦ処理能力を通知することを示すフローチャートで、本実施例において、セル１は基地局１に属し、セル２は基地局２に属する。セル１はＲＬＦ情報処理を支援し、セル２はＲＬＦ情報処理を支援しなく、具体的には以下のとおりである。
【００６５】
基地局１は、Ｓ１インターフェースメッセージを介してセル１の能力を基地局２に通知する（ステップ１）。
【００６６】
基地局２は、上記Ｓ１インターフェースメッセージに応答する応答メッセージを介してセル１の能力を基地局１に通知する（ステップ２）。
【００６７】
基地局１と基地局２が、Ｓ１インターフェース上の他のシグナルメッセージ、例えば、ＭＭＥ配置伝送メッセージ、基地局配置更新メッセージ又は新しく定義されたＳ１インターフェースメッセージを介してセルのＲＬＦ測定結果処理能力を互いに通知することもできる。
【００６８】
端末装置はセル２がＲＬＦ測定結果処理能力を支援するか否かを把握していないので、端末装置はセル２内で発生したＲＬＦ測定結果を記録する（ステップ３）。
【００６９】
この時、端末装置において、ハンドオフが遅すぎていて、セル１への再確立に成功し、セル１がＲＬＦ測定結果処理能力を支援するので、セル１は端末装置が報知したＲＬＦ情報に基づいて端末装置の測定結果を取得し、同時に、セル１がＳ１インターフェースのプロセスメッセージを介してセル２がＲＬＦ情報の処理を支援しないことを把握したので、基地局１は端末装置が報知したＲＬＦ情報を取得した後、ＲＬＦ情報を基地局２に送信せず、インターフェース上の余分の情報負荷を防止できる（ステップ４）。
【００７０】
上述のように、本発明によると、端末装置がネットワーク側がＲＬＦ情報処理能力を具備したか否かを把握し、端末装置による無意味なリソースの浪費を防止できると共に、ネットワーク側によるＲＬＦ情報を受信した後の無意味な処理と送信を防止でき、エアーシグナルリソースのオーバーヘッドを低減し、端末装置とネットワーク要素との間でＲＬＦ情報処理を行うメモリ及びリソースの浪費を低減できる。
【産業上の利用可能性】
【００７１】
本発明の実施例により提供される技術案によると、ソフトウエアによってＲＬＦ情報の処理を実現でき、ネットワーク機器のハードウェア構造を変更させる必要がなく、簡単に実現でき、産業上の利用可能性を具備する。
【００７２】
以上は、本発明の好適な実施例に過ぎず、本発明を限定するものではない。当業者であれば本発明の様々な修正や変形が可能である。本発明の精神や原則内での如何なる修正、置換、改良なども本発明の保護範囲内に含まれる。
【図１】
0005584822.tif 000002
【図２】
0005584822.tif 000003
【図３】
0005584822.tif 000004
【図４】
0005584822.tif 000005
【図５】
0005584822.tif 000006
【図６】
0005584822.tif 000007